(57)【要約】【課題】スピニングリールのロータにおいて、ロータの大きさに関わらず、ベール反転装置を共通化して組み付けることができるようにする。【解決手段】スピニングリールのロータ３は、円筒部３０と、円筒部３０の側方に互いに対向してそれぞれ設けられた第１ロータアーム３１及び第２ロータアーム３２と、第１ロータアーム３１及び第２ロータアーム３２の先端に揺動自在に装着され釣り糸をスプールに案内するベールアーム４４と、第１ロータアーム３１の外周側に着脱自在に取り付けられる装着部材４９とを有している。装着部材４９は、第１ロータアーム３１に形成された凹部３１ｅに着脱自在に取り付けられ、ベール反転装置４８が内部に装着されている。【選択図】      図３
2004147557.tif 000002
【特許請求の範囲】
【請求項１】
リール本体に回転自在に装着され、スプールに釣り糸を案内して巻き付けるスピニングリールのロータであって、
前記リール本体に回転自在に装着される円筒部と、前記円筒部の後端部の外周面の対向する位置から前記円筒部と間隔を隔ててそれぞれ前方に延びる１対のロータアームとを有するロータ本体と、
前記１対のロータアームの先端に糸巻取姿勢と糸開放姿勢とに揺動自在に装着され、釣り糸を前記スプールに案内するためのベールアームと、
前記１対のロータアームの一側に着脱自在に取り付けられる装着部材と、
前記装着部材に設けられ、前記ベールアームを前記ロータの糸巻取方向の回転に連動して前記糸開放姿勢から前記糸巻取姿勢に戻すスピニングリールのベール反転装置と、
を備えたスピニングリールのロータ。
【請求項２】
前記装着部材は前記１対のロータアームの一側の外周側に取り付けられる、請求項１に記載のスピニングリールのロータ。
【請求項３】
前記装着部材は前記１対のロータアームの一側の内周側に取り付けられる、請求項１に記載のスピニングリールのロータ。
【請求項４】
前記円筒部は、後端部の外周面に他の部分より大径に設けられた大径部と、前記大径部の前端部に着脱自在に設けられた筒状部とを有している、請求項１から３のいずれかに記載のスピニングリールのロータ。
【請求項５】
前記ベール反転装置は、基端が前記ベールアームに係止され前記ベールアームの揺動に連動して前記糸巻取姿勢に対応する前記リール本体から離反した第１位置と前記糸開放姿勢に対応する前記リール本体に接近した第２位置とに先端が少なくとも前後移動自在に前記装着部材に設けられた移動部材と、前記ベールアームの前記移動部材の係止位置と異なる位置に先端が回動自在に係止され前記ベールアームを前記糸巻取姿勢と糸開放姿勢とに振り分けて付勢しかつその付勢方向が前記ベールアームの揺動に応じて変化するトグルばね機構と、前記リール本体の前部に設けられ前記ロータアームが糸巻取方向に回転したとき前記第２位置に移動した前記移動部材の突出した先端に接触して前記移動部材を前記第１位置に向けて移動させる切換部とを有している、請求項１から４のいずれかに記載のスピニングリールのロータ。
【発明の詳細な説明】
【０００１】
【発明の属する技術分野】
本発明は、スピニングリールのロータ、特に、リール本体に回転自在に装着されスプールに釣り糸を案内して巻き付けるスピニングリールのロータに関する。
【０００２】
【従来の技術】
スピニングリールは、一般に、釣竿に装着されるリール本体と、リール本体に回転自在に装着された釣り糸案内用のロータと、ロータにより案内された釣り糸を巻き取るスプールとを有している。ロータは、ロータ本体と、ロータ本体に揺動自在に装着されたベールアームとを有している。ロータ本体は、リール本体に回転自在に装着された円筒部と、円筒部の後端部から径方向外方に延びる対向して配置された第１ロータアーム及び第２ロータアームとを有している。
【０００３】
ベールアームは、釣り糸をスプールに案内するものであり、第１ロータアームの先端に揺動自在に装着された第１ベール支持部材と、第２ロータアームの先端に揺動自在に装着された第２ベール支持部材と、第１ベール支持部材の先端に回動自在に装着されたラインローラと、ラインローラと第２ベール支持部材とを連結する線材製のベールとを有している。このようなベールアームを糸巻取姿勢と糸開放姿勢とに維持するとともに、ロータの糸巻取方向の回転に連動して糸開放姿勢から糸巻取姿勢に戻すために、第１ロータアームにはベール反転装置が設けられている。
【０００４】
従来のベール反転装置は、ベールアームの揺動中心の近傍に先端が係止され、ロータに装着されたトグルばねと、ベールアームの揺動中心の近傍に先端が係止され、基端がリール本体に向けて前後移動する移動部材と、移動部材に接触するようにリール本体に設けられた切換突起とを有している（たとえば、特許文献１参照）。トグルばねは、ベールアームを２つの姿勢に振り分けて付勢し、ベールアームを２つの姿勢で保持する。これらのトグルばね及び移動部材は、第１ロータアームに設けられた内部空間にそれぞれ収納されている。
【０００５】
【特許文献１】
特開平１０−４８３９号公報
【０００６】
【発明が解決しようとする課題】
前記従来の構成では、ベール反転装置のトグルばね及び移動部材は、第１ロータアームの内部空間にそれぞれ収納されている。このため、たとえばロータの大きさが異なるリールについては、第１ロータアームの内部空間の形状がそれぞれ異なっているので、共通のベール反転装置を組み付けることが困難である。
【０００７】
本発明の課題は、スピニングリールのロータにおいて、ロータの大きさに関わらず、ベール反転装置を共通化して組み付けることができるようにすることにある。
【０００８】
【課題を解決するための手段】
発明１に係るスピニングリールのロータは、リール本体に回転自在に装着されスプールに釣り糸を案内して巻き付けるスピニングリールのロータであって、リール本体に回転自在に装着される円筒部と円筒部の後端部の外周面の対向する位置から円筒部と間隔を隔ててそれぞれ前方に延びる１対のロータアームとを有するロータ本体と、１対のロータアームの先端に糸巻取姿勢と糸開放姿勢とに揺動自在に装着され釣り糸をスプールに案内するためのベールアームと、１対のロータアームの一側に着脱自在に取り付けられる装着部材と、装着部材に設けられベールアームをロータの糸巻取方向の回転に連動して糸開放姿勢から糸巻取姿勢に戻すスピニングリールのベール反転装置とを備えている。
【０００９】
このロータでは、アーム部の一側にはベール反転装置が装着される装着部材が着脱自在に取り付けられている。ここでは、装着部材にベール反転装置をあらかじ組み込んでユニット化しておくことにより、ロータの大きさが異なるリールに共通のベール反転装置をユニット化された装着部材ごと組み付けることができる。
【００１０】
発明２に係るロータは、発明１のロータにおいて、装着部材は１対のロータアームの一側の外周側に取り付けられる。この場合、たとえばベールアームがロータアーム外周側に装着されている場合、装着部材を外周側から取り付けることにより、装着部材の取り付けが容易になる。
発明３に係るロータは、発明１のロータにおいて、装着部材は１対のロータアームの一側の内周側に取り付けられる。この場合、たとえばベールアームがロータアーム内周側に装着されている場合、装着部材を内周側から取り付けることにより、装着部材が外周側に露出しにくいので、意匠性を向上できる。
【００１１】
発明４に係るロータは、発明１から３のいずれかのロータにおいて、円筒部は、後端部の外周面に他の部分より大径に設けられた大径部と、大径部の前端部に着脱自在に設けられた筒状部とを有している。この場合、たとえば筒状部を大径部と異なる材質で形成できる。特に、装着部材がロータアーム内周側に装着されている場合、筒状部を取り外すことによって、装着部材の着脱が容易になる。
【００１２】
発明５に係るロータは、発明１から４のいずれかのロータにおいて、ベール反転装置は、基端がベールアームに係止されベールアームの揺動に連動して糸巻取姿勢に対応するリール本体から離反した第１位置と糸開放姿勢に対応するリール本体に接近した第２位置とに先端が少なくとも前後移動自在に装着部材に設けられた移動部材と、ベールアームの移動部材の係止位置と異なる位置に先端が回動自在に係止されベールアームを糸巻取姿勢と糸開放姿勢とに振り分けて付勢しかつその付勢方向がベールアームの揺動に応じて変化するトグルばね機構と、リール本体の前部に設けられロータアームが糸巻取方向に回転したとき第２位置に移動した移動部材の突出した先端に接触して移動部材を第１位置に向けて移動させる切換部とを有している。このベール反転装置では、ベールアームが糸巻取姿勢から糸開放姿勢に反転すると、移動部材の後端が第２位置に移動する。このとき、トグルばね機構は、いったん死点まで収縮した後伸長してベールアームを糸開放姿勢側に付勢する。この糸開放姿勢に配置されているとき、ベールアームと糸開放姿勢に戻るのを規制されている。この結果、糸開放姿勢にあるときにキャスティングしてもベールアームが糸巻取姿勢に向けて反転しにくくなる。この状態でロータが糸巻取方向に回転すると、第２位置に移動した移動部材の後端が切換部に接触して徐々に突出端に向けて移動して移動部材が第１位置側に押圧され、ベールアームを糸巻取姿勢側に押圧する。この移動中において、移動部材の先端が突出端に到達するまでに規制手段による規制は解除される。そして、トグルばね機構の死点を超えると、トグルばね機構が伸長してベールアームを糸巻取姿勢側に押圧するとともに、ベールアームは突出端に到達するまでは切換部によっても押圧される。この結果、規制を解除されたベールアームが糸開放姿勢に反転しかつその姿勢で保持される。ここでは、簡単な構成でベールアームを反転させることができる。
【００１３】
【発明の実施の形態】
〔全体構成及びリール本体の構成〕
本発明の一実施形態を採用したスピニングリールは、図１及び図２に示すように、ハンドル１を回転自在に支持し釣竿に装着されるリール本体２と、ロータ３と、スプール４とを備えている。ロータ３は、スプール４に釣り糸を巻き付けるものであり、リール本体２の前部に回転自在に支持されている。スプール４は、外周面に釣り糸を巻き取るものであり、ロータ３の前部に前後移動自在に配置されている。なお、ハンドル１は、図１に示すリール本体２の左側と、図２に示すリール本体２の右側とのいずれにも装着可能である。
【００１４】
リール本体２は、ロータ３やスプール４を支持する本体部材２ａと、本体部材２ａに着脱自在にねじ止めされた蓋部材２ｂとを主に有している。
本体部材２ａはたとえばガラス繊維で強化されたポリアミド系合成樹脂製であり、射出成形により製造された部材である。本体部材２ａは開口２５を有し、内部には機構収納空間２６が形成されている。機構収納空間２６には、ロータ３を回転させるためのロータ駆動機構５と、スプール４を前後移動させて釣り糸を均一に巻き取るためのオシレーティング機構６と、ハンドル１の回転をオシレーティング機構６に伝達する図示しない動力伝達機構とが設けられている。本体部材２ａの前部には、ロータを回転自在に支持するための略円形の回転支持部２７が設けられている。
【００１５】
蓋部材２ｂはたとえばアルミニウム合金製であり、たとえばダイキャスト成形により製造された部材である。蓋部材２ｂは、図２及び図３に示すように、本体部材２ａの開口２５を覆う薄肉のカバー部３５と、カバー部３５から上方に延びる竿取付脚部３６とを有している。
〔ロータの構成〕
ロータ３は、図２及び図３に示すように、たとえば合成樹脂製であり、後端が開口した凹陥部３ａが形成されリール本体２の一端に回転自在に装着された円筒部３０と、円筒部３０の側方に互いに対向してそれぞれ設けられた第１ロータアーム３１及び第２ロータアーム３２と、第１ロータアーム３１及び第２ロータアーム３２の先端に揺動自在に装着され釣り糸をスプールに案内するベールアーム４４と、第１ロータアーム３１の外周側に着脱自在に取り付けられる装着部材４９と、第２ロータアーム３２の外方を覆うカバー部材４７とを有している。
【００１６】
円筒部３０は、本体部材２ａの回転支持部２７の外周側に配置されている。円筒部３０は、図２及び図３に示すように、後端部の外周面に他の部分より大径に設けられた大径部３０ｂと、大径部３０ｂの前端部に着脱自在に設けられた筒状部３０ａとを有している。大径部３０ｂは、第１ロータアーム３１及び第２ロータアーム３２と一体成形された環状部材であり、内周側に複数の係合孔３０ｄが形成されている。筒状部３０ａは、図３に示すように、筒状部３０ａ後端部外周に形成された複数の係合突起３０ｃｂを大径部３０ｂに形成された係合孔３０ｄに係合させることにより、位置決め及び回り止めをしている。筒状部３０ａの前部には、図２に示すように、前壁３３が形成されており、前壁３３の中央部にはボス３３ａが形成されている。このボス３３ａの貫通孔をピニオンギア１２の前部１２ａ及びスプール軸１５が貫通している。前壁３３の前方側にはナット３４が配置されており、このナット３４がピニオンギア１２の前部１２ａに形成された雄ねじ部に螺合してロータ３をピニオンギア１２に固定している。
【００１７】
第１ロータアーム３１は、図３及び図４に示すように、円筒部３０と間隔を隔てて円筒部３０の後部から前方に延びる部材である。第１ロータアーム３１は、図３に示すように、大径部３０ｂと周方向に滑らかに連続して形成されている。第１ロータアーム３１には、図３及び図４に示すように、外周側の一部が凹んだ凹部３１ｅが形成されている。凹部３１ｅには、後述するベール反転装置４８が装着される装着部材４９が着脱自在に取り付けられている。第１ロータアーム３１の先端の外周側には、第１ベール支持部材４０が揺動自在に装着されている。
【００１８】
装着部材４９は、図３及び図４に示すように、外周が凹部３１ｅの内周に沿って形成されたケース部材である。装着部材４９は、凹部３１ｅの内周に沿って形成された板状部材４９ｃと、板状部材４９ｃの後端部外方を覆うように形成され後述するベール反転装置４８が装着されるケース部材４９ｄとを備えている。
板状部材４９ｃは、図３及び図４に示すように、後端部が突出した突出部４９ａと、前端部に形成された貫通孔４９ｂとを有している。突出部４９ａは、凹部３１ｅの後端面に形成された溝部３１ｆに係止され、装着部材４９を凹部３１ｅに装着した際の浮き止めとして機能している。貫通孔４９ｂは、凹部３１ｅの前部外方に突出して形成されたボス部３１ｉに挿通可能である。装着部材４９は、溝部３１ｆに突出部４９ａを係止し、ボス部３１ｉに貫通孔４９ｂを挿通することにより、凹部３１ｅに装着固定される。ここでは、装着部材４９を凹部３１ｅに装着固定した後、後述する第１ベール支持部材４０をボス部３１ｉに挿入し、後述する取付ピン３７（図２参照）によって、第１ベール支持部材４０及び装着部材４９を第１ロータアーム３１に固定している。
【００１９】
ケース部材４９ｄは、図３及び図４に示すように、板状部材４９ｃの後端部外方を覆うように形成され、前方に開口４９ｅを有する部材である。この開口４９ｅから後述するベール反転装置４８である移動部材５５及びトグルばね機構５６が装着されている。
第１ベール支持部材４０は、図２に示すように、第１ロータアーム３１にねじ込まれた取付ピン３７（図２参照）により、装着部材４９とともに第１ロータアーム３１に取り付けられる。この取付ピン３７は引っかかりが少ない六角孔付きボルトからなり、その頭部に釣り糸が引っかかりにくくなっている。第１ベール支持部材４０の先端には、釣り糸をスプール４に案内するためのラインローラ４１と、ラインローラ４１を挟んで第１ベール支持部材４０に固定された固定軸カバー４５とが装着されている。ラインローラ４１は、第１ベール支持部材４０の先端に回転自在に装着されている。固定軸カバー４５は、先端が尖った変形円錐形状であり、固定軸カバー４５にはラインローラ４１を回転自在に支持するための固定軸４５ａ（図３参照）が一体成形されている。固定軸４５ａの先端は、第１ベール支持部材４０に固定されている。
【００２０】
第２ロータアーム３２は、図３及び図５に示すように、円筒部３０と間隔を隔てて円筒部３０の後部から前方に延びる部材である。第２ロータアーム３２は、第１ロータアーム３１と対向する位置の配置されている。第２ロータアーム３２は、図３に示すように、大径部３０ｂと周方向に滑らかに連続して形成されている。第２ロータアーム３２の根元側には略三角形状の開口３２ｃが形成されており、この開口３２ｃは後述するカバー部材４７によって閉塞される。また、第２ロータアーム３２の先端外周側には、第２ベール支持部材４２が揺動自在に装着されている。
【００２１】
固定軸カバー４５の先端部と第２ベール支持部材４２との間には、図３に示すように線材を略Ｕ状に湾曲させた形状のベール４３が固定されている。これらの第１ベール支持部材４０、第２ベール支持部材４２、ラインローラ４１、ベール４３及び固定軸カバー４５により釣り糸をスプール４に案内するベールアーム４４が構成される。ベールアーム４４は、図２に示す糸案内姿勢とそれから反転した糸開放姿勢との間で揺動自在である。
【００２２】
カバー部材４７は、図３に示すように、第２ロータアーム３２の外周側にビスにより着脱自在に装着されている。カバー部材４７は、第２ロータアーム３２の径方向外側を覆う形状である。第２カバー部材４７には、第２ロータアーム３２の開口３２ｃの一部を露出するように３つの長円形の貫通孔６５ａ、６５ｂ、６５ｃが形成されている。
【００２３】
ベール反転機構４８は、図２から図４に示すように、先端が第１ベール支持部材４０に係止され、装着部材４９内を前後に移動する移動部材５５と、ベールアーム４４を糸開放姿勢と糸巻取姿勢とに振り分けて付勢するトグルばね機構５６と、回転支持部２７（図２参照）の前面に設けられた切換突起５７（図２参照）とを有している。
【００２４】
トグルばね機構５６は、図３及び図４に示すように、先端が第１ベール支持部材４０に係止されたガイド軸５６ａと、ガイド軸５６ａの周囲に配置された先細りのコイルばね５６ｂとを有している。コイルばね５６ｂは、図４に示すように、ケース部材４９ｄの内部に断面略鉤状に立設された壁部４９ｉに収納されている。トグルばね機構５６は死点を挟んでベールアーム４４を糸開放姿勢と糸巻取姿勢とに振り分けて付勢する。トグルばね機構５６の死点は、糸開放姿勢側に近い位置に設定されている。
【００２５】
移動部材５５は、両端が逆方向に折り曲げられた線材製の部材である。移動部材５５は、図４に示すように、リール本体２と接離する前後方向に移動自在に装着部材４９に形成された案内溝４９ｆにより案内される。案内溝４９ｆのリール本体２側端部には、図４に示すように、先端が半円形に突出する突出部４９ｈが形成され、突出部４９ｈには貫通孔４９ｇが形成されている。突出部４９ｈは、図３に示すように、第１ロータアーム３１の後端部の一部が略半円形に切り欠かれた切り欠き部３１ｈと外形が一致するように形成されている。また、切り欠き部３１ｈには貫通孔３１ｇが形成されており、貫通孔３１ｇは貫通孔４９ｇと連通している。ここでは、移動部材５５の折れ曲がった端部が、貫通孔４９ｇ及び貫通孔３１ｇに挿入され、切換突起５７（図２参照）に接触する。
【００２６】
切換突起５７は、図２に示すように、回転支持部２７の前部に前方に突出し周方向に傾斜して形成され傾斜面により構成されている。ハンドル１が糸巻取姿勢に回転すると、糸開放姿勢に揺動して後退した移動部材５５の基端部が切換突起５７に接触してベールアーム４４を糸案内姿勢に戻す。
また、ロータ３には、図２に示すように、ベール反転機構４８を利用してロータ３を制動するロータ制動機構５８が設けられている。ロータ制動機構５８は、前述した移動部材５５と、糸開放姿勢のとき移動部材５５の基端面に接触するゴム製の制動部材５９とを備えている。ロータ制動機構５８では、糸開放姿勢に揺動したとき、移動部材５５が後退すると制動部材５９に接触してロータ３が制動される。この制動部材５９は、回転支持部２７に設けられた環状溝に装着されている。
【００２７】
凹陥部３ａ内には、図２に示すように、ロータ３の逆転防止機構５０が配置されている。逆転防止機構５０は、ローラ型のワンウェイクラッチ５１と、ワンウェイクラッチ５１を作動状態及び非作動状態に切り換える操作機構５２とを有している。ワンウェイクラッチ５１は、外輪が本体部材２ａに固定され、内輪がピニオンギア１２に回転不能に装着されている。操作機構５２は、本体部材２ａの後部に配置された操作レバー５３を有しており、操作レバー５３を揺動させることでワンウェイクラッチが２つの状態に切り換られ、作動状態のときにロータ３が逆転不能になり、非作動状態のときロータ３が逆転可能になる。
【００２８】
〔スプールの構成〕
スプール４は、ロータ３の第１ロータアーム３１と第２ロータアーム３２との間に配置されており、スプール軸１５の先端にドラグ機構６０を介して固定されている。スプール４は、たとえばアルミニウム合金製の部材であり、外周に釣り糸が巻き付けられる糸巻胴部４ａと、糸巻胴部４ａの後部に一体で形成されたスカート部４ｂと、糸巻胴部４ａの前部に固定された前フランジ部４ｃとを有している。糸巻胴部４ａはロータ３の円筒部３０の外周側まで延びる円筒状の部材である。
【００２９】
〔ロータ駆動機構の構成〕
ロータ駆動機構５は、図２に示すように、ハンドル１が回転不能に装着されたメインギア軸１０と、メインギア軸１０とともに回転するメインギア１１と、このメインギア１１に噛み合うピニオンギア１２とを有している。ピニオンギア１２は、ハンドルの回転に連動して回転する筒状の部材であり、前後に延びるスプール軸１５が内部を貫通している。ピニオンギア１２は、金属製の中空筒状部材であり、内部をスプール軸１５が貫通している。ピニオンギア１２は、中間部と後部とで本体部材２ａに軸受１４ａ、１４ｂを介して回転自在に支持されている。ピニオンギア１２の前部１２ａにロータ３が回転不能に装着されている。前側の軸受１４ａは、回転支持部２７の内部に装着された玉軸受である。後側の軸受１４ｂは、鍔付きのブッシュである。
【００３０】
〔オシレーティング機構の構成〕
オシレーティング機構６は、ハンドル１の回転に連動してスプール軸１５を介してスプール３を前後に往復移動させる機構である。オシレーティング機構６には動力伝達機構を介してハンドル１の回転が伝達される。オシレーティング機構６は、図２に示すように、スプール軸１５と平行に配置された螺軸２１と、螺軸２１の回転により螺軸２１に沿って前後方向に往復移動するスライダ２２と、螺軸２１の先端側に装着された従動ギア２３とを備えている。この従動ギア２３にピニオンギア１２の回転が動力伝達機構を介して減速して伝達される。スライダ２２にはスプール軸１５が回転不能に連結されており、これによりハンドル１の回転に連動して、スライダ２２が前後に移動し、スプール４が前後に往復移動する。
【００３１】
〔リールの操作及び動作〕
このスピニングリールでは、キャスティング時には、ベールアーム４４を糸巻取姿勢から糸開放姿勢に倒す。そして、釣竿を振って仕掛けをキャスティングする。すると、スプール４の先端から釣り糸が螺旋状に放出される。
釣り糸巻き取り時には、ベールアーム４４を糸巻取姿勢に倒す。これは、ハンドル１を糸巻取方向に回転させるとベール反転機構４８により自動的に行われる。ハンドル１を糸巻取方向に回転させると、この回転力はメインギア軸１０及びメインギア１１を介してピニオンギア１２に伝達される。このピニオンギア１２に伝達された回転力は、ピニオンギア１２の前部１２ａを介してロータ３に伝達され、ロータ３が糸巻取方向に回転する。
【００３２】
一方、ピニオンギア１２に動力伝達機構を介して噛み合う従動ドア２３によって螺軸２１が回転する。そして、螺軸２１の回転により螺軸２１に噛み合うスライダ２２が前後方向に往復移動する。そして、ベールアーム４４によってスプール４に案内された釣り糸はスプール４の糸巻胴部４ａに巻き付けられ、スプール４に釣り糸が巻き付けられる。
【００３３】
このロータ３では、第１ロータアーム３１にはベール反転装置４８が装着される装着部材４９が着脱自在に取り付けられている。ここでは、装着部材４９にベール反転装置４８をあらかじ組み込んでユニット化しておくことにより、ロータ３の大きさが異なるリールに共通のベール反転装置４８をユニット化された装着部材４９ごと組み付けることができる。
【００３４】
〔他の実施形態〕
（ａ）  前記実施形態では、フロントドラグ型のスピニングリールを例に説明したが、リアドラグ型やレバーブレーキ型のスピニングリールのロータにも本発明を適用できる。
（ｂ）  前記実施形態では、筒状部３０ａは大径部３０ｂに着脱自在に設けられていたが、筒状部３０ａと大径部３０ｂとを一体的に設けてもよい。
【００３５】
（ｃ）  前記実施形態では、装着部材４９は第１ロータアーム３１の外周側に取り付けられていたが、第１ロータアーム３１の内周側に装着部材４９を取り付ける構成にしてもよい。
【００３６】
【発明の効果】
本発明によれば、スピニングリールのロータにおいて、ロータアームの一側にはベール反転装置が装着される装着部材が着脱自在に取り付けられているので、ロータの大きさに関わらず、ベール反転装置を共通化して組み付けることができる。
【図面の簡単な説明】
【図１】本発明の一実施形態を採用したスピニングリールの左側面断面図。
【図２】その左側面断面図。
【図３】ロータの分解斜視図。
【図４】第１ロータアームの平面図。
【図５】第２ロータアームの平面図。
【符号の説明】
２  リール本体
３  ロータ
４  スプール
３０  円筒部
３０ａ  筒状部
３０ｂ  大径部
３１  第１ロータアーム
３２  第２ロータアーム
４４  ベールアーム
４８  ベール反転機構
４９  装着部材
【図１】
2004147557.tif 000003
【図２】
2004147557.tif 000004
【図３】
2004147557.tif 000005
【図４】
2004147557.tif 000006
【図５】
2004147557.tif 000007